(57)【要約】【課題】光ディスク駆動装置における挿入動作を迅速、正確に検出し、故障を低減する。【解決手段】青紫色光ディスク装置１００は、搭載機構１０、制御回路基板２０、トラバース３０、スライド機構４０からなり、ディスクの挿入操作を光センサ素子５０を具えて、光センサ素子５０をスライド機構４０の取込領域から読取領域間の往復移動を制御するスイッチとすることにより、非接触式の検出動作として、スイッチング動作に伴う損傷や検出制度を向上する。【選択図】図３
0003163109.tif 000002
【実用新案登録請求の範囲】
【請求項１】
内部に取込領域及び読取領域が画定され、前端に外部及び前記取込領域に連通する挿入口を有し、前記読取領域内には、少なくとも１つの第１の当接凸部が設けられる搭載機構と、
前記搭載機構内に固定される制御回路基板と、
前記搭載機構内に配置され、前記読取領域中に位置し、前記制御回路基板と電気的に接続され、ディスクの読取作業を行うトラバースと、
スライド台、少なくとも１つのディスク挟持片及び駆動装置を有し、前記挟持片は、前記第１の当接凸部に対応する第２の当接凸部を有し、一方の端部を前記スライド台に枢接端を介して枢動可能に接続すると共に、他端部を前記挿入口の方向に配置される自由端とし、前記駆動装置は、前記制御回路基板と電気的に接続され、前記スライド台を駆動して前記取込領域から前記読取領域の間を往復スライド移動させるスライド機構と、
前記搭載機構内に配置され、前記取込領域中に位置し、前記制御回路基板と電気的に接続され、前記ディスクが前記挿入口に挿入されて前記挟持片によって前記スライド台上に挟持されると、ディスクの挿入を検出し、その情報を前記制御回路基板に伝送して、前記スライド台を取込領域から読取領域に移動させ、前記第１の当接凸部を前記第２の当接凸部に接触させて、前記挟持片を前記枢接端を中心として回動させて自由端と前記スライド台をディスクに対して開放状態にする光センサ素子と、を備えることを特徴とする光センサによってディスクの挿入を検出する青紫色光ディスク装置。
【請求項２】
前記搭載機構は、上部筐体と下部筐体とが組み合わされて構成されることを特徴とする請求項１記載の光センサによってディスクの挿入を検出する青紫色光ディスク装置。
【請求項３】
前記搭載機構の内部の両側部には、スライドレールがそれぞれ設けられ、前記スライドレールの末端には、下方に傾斜した傾斜レールが接続され、
前記スライド台の外部の両側部には、前記スライドレール及び前記傾斜レールに沿って移動する少なくとも１つのスライドブロックがそれぞれ突設され、前記スライドブロックが前記傾斜レール内に位置するとき、前記第１の当接凸部と前記第２の当接凸部とが接触して前記挟持片を支持することにより、前記自由端を開放状態にすることを特徴とする請求項１記載の光センサによってディスクの挿入を検出する青紫色光ディスク装置。
【請求項４】
前記トラバースは、トラバースシャーシ、ディスク読取装置及びスピンドルモータを有し、
前記トラバースシャーシは、前記搭載機構内に配置され、
前記ディスク読取装置は、前記トラバースシャーシ上に配置される上、駆動されて前記トラバースシャーシに沿って所定の経路を往復移動し、前記ディスク読取装置の往復移動領域は、前記搭載機構の読取領域中に位置し、
前記スピンドルモータは、前記トラバースシャーシ上に配置され、前記ディスクを回転させるのに使用されることを特徴とする請求項１記載の光センサによってディスクの挿入を検出する青紫色光ディスク装置。
【請求項５】
前記スライド台は、少なくとも１つの穿孔を有し、前記挟持片の第２の当接凸部は、前記スライド台の穿孔の外部に突出することを特徴とする請求項１記載の光センサによってディスクの挿入を検出する青紫色光ディスク装置。
【請求項６】
前記駆動装置は、駆動モータ、歯車セット、スライド台上に設けられるラック及びベルトローラセットを有し、
前記駆動モータは、前記搭載機構上に配置され、動力を提供するのに使用され、前記ベルトローラセット、前記歯車セット及び前記ラックを介し、動力を前記スライド台上に伝達し、前記スライド台を前記取込領域から前記読取領域間において往復移動させることを特徴とする請求項１記載の光センサによってディスクの挿入を検出する青紫色光ディスク装置。
【考案の詳細な説明】
【技術分野】
【０００１】
本考案は、光ディスク装置に関し、特に、光センサによってディスクの挿入を検出する青紫色光ディスク装置に関する。
【背景技術】
【０００２】
従来の光ディスク装置の中で、特に、スロットイン型の青紫色ディスク（登録商標名：Ｂｌｕ−ｒａｙ  Ｄｉｓｃ）の光ディスク装置は、図１に示すように、搭載機構１、トラバース２及びスライド機構３を有する。搭載機構１の前端には、挿入口が設けられる。トラバース２は、搭載機構１内に配置され、ディスクの読み取りを行う。スライド機構３は、搭載機構１内に配置され、所定の経路に沿って往復移動して、トラバース２がディスクの読み取りを行える位置までディスクを搬入したり、ユーザがディスクを取り出せる位置までディスクを搬出したりする。
【０００３】
スライド機構３は、スライド台４、２つの挟持片５及び駆動装置６を有する。挟持片５は、スライド台４上に配置される。駆動装置６は、搭載機構１内においてスライド台４を移動させるのに使用される。また、駆動装置６は、制御回路基板７を介してスライド台４上に配置された弾性スイッチ８と電気的に接続される。スライド台４がディスク取込位置に位置し、ユーザがディスク９を挿入口に挿入したとき、図２に示すように、ディスク９は、スライド台４と挟持片５との間に挟持される。また、ディスク９が弾性スイッチ８に接触することにより、弾性スイッチ８が制御回路基板７に接触信号を伝送する。これにより、制御回路基板７は、駆動装置６を駆動し、スライド台４、挟持片５及びディスク９をディスク読取位置まで同時に移動させる。次に、トラーバース２によってディスクの読取作業が行われる。
【０００４】
しかし、接触式の弾性スイッチ８を用いて駆動装置６を制御する構造は、スライド台４の移動に伴い、弾性スイッチ８の位置が偏移したり、スライド台４上から脱落したりしてディスク９を取り込めなくなる（駆動装置の作動を制御できない）状況が発生しやすい。或いは、長時間使用するとディスク９が弾性スイッチ８に幾度も接触することにより、弾性スイッチ８が弾性疲労を起こし、ディスク９の取込時間に遅延が生じる状況が発生する。
【先行技術文献】
【特許文献】
【０００５】
【特許文献１】特開２０００−２１１０２号公報
【考案の概要】
【考案が解決しようとする課題】
【０００６】
本考案の第１の目的は、ディスクの取込動作が迅速、かつ正確であり、光センサによってディスクの挿入を検出する青紫色光ディスク装置を提供することにある。
本考案の第２の目的は、部材の破損を低減し、使用寿命を延長することができる、光センサによってディスクの挿入を検出する青紫色光ディスク装置を提供することにある。
【課題を解決するための手段】
【０００７】
上述の課題を解決するために、請求項１の考案は、内部に取込領域及び読取領域が画定され、前端に外部及び取込領域に連通する挿入口を有し、読取領域内には、少なくとも１つの第１の当接凸部が設けられる搭載機構と、搭載機構内に固定される制御回路基板と、搭載機構内に配置され、読取領域中に位置し、制御回路基板と電気的に接続され、ディスクの読取作業を行うのに使用されるトラバースと、スライド台、少なくとも１つの挟持片及びスライド台を駆動して移動させる駆動装置を有し、挟持片は、少なくとも１つの第２の当接凸部を有し、一方の端部に、スライド台上に枢動可能に配置される枢接端を有し、他方の端部に、挿入口の方向に配置される自由端が形成され、駆動装置は、制御回路基板と電気的に接続され、スライド台を駆動して取込領域から読取領域の間を往復スライド移動させるスライド機構と、搭載機構内に配置され、取込領域中に位置し、制御回路基板と電気的に接続され、ディスクが挿入口に挿入され、挟持片によってスライド台上に挟持されたとき、ディスクが挿入されたという情報を制御回路基板に伝送し、スライド台を取込領域から読取領域に移動させ、第１の当接凸部を第２の当接凸部に接触させ、挟持片の自由端及びスライド台を開放状態にする光センサ素子と、を備えることを特徴とする光センサによってディスクの挿入を検出する青紫色光ディスク装置である。
【０００８】
請求項２の考案は、搭載機構は、上部筐体と下部筐体とが組み合わされて構成されることを特徴とする請求項１記載の光センサによってディスクの挿入を検出する青紫色光ディスク装置である。
【０００９】
請求項３の考案は、搭載機構の内部の両側部には、少なくとも１つのスライドレールがそれぞれ設けられ、スライドレールの末端には、下方に傾斜した傾斜レールが接続され、スライド台の外部の両側部には、スライドレール及び傾斜レールに沿って移動する少なくとも１つのスライドブロックがそれぞれ突設され、スライドブロックが傾斜レール内に位置するとき、第１の当接凸部と第２の当接凸部とが接触して挟持片を支持することにより、自由端を開放状態にすることを特徴とする請求項１記載の光センサによってディスクの挿入を検出する青紫色光ディスク装置である。
【００１０】
請求項４の考案は、トラバースは、トラバースシャーシ、ディスク読取装置及びスピンドルモータを有し、トラバースシャーシは、搭載機構内に配置され、ディスク読取装置は、トラバースシャーシ上に配置される上、駆動されてトラバースシャーシに沿って所定の経路を往復移動し、ディスク読取装置の往復移動領域は、搭載機構の読取領域中に位置し、スピンドルモータは、トラバースシャーシ上に配置され、ディスクを回転させるのに使用されることを特徴とする請求項１記載の光センサによってディスクの挿入を検出する青紫色光ディスク装置である。
【００１１】
請求項５の考案は、スライド台は、少なくとも１つの穿孔を有し、挟持片の第２の当接凸部は、スライド台の穿孔の外部に突出することを特徴とする請求項１記載の光センサによってディスクの挿入を検出する青紫色光ディスク装置である。
【００１２】
請求項６の考案は、駆動装置は、駆動モータ、歯車セット、スライド台上に設けられるラック及びベルトローラセットを有し、駆動モータは、搭載機構上に配置され、動力を提供するのに使用され、ベルトローラセット、歯車セット及びラックを介し、動力をスライド台上に伝達し、スライド台を取込領域から読取領域間において往復移動させることを特徴とする請求項１記載の光センサによってディスクの挿入を検出する青紫色光ディスク装置である。
【考案の効果】
【００１３】
本考案の光センサによってディスクの挿入を検出する青紫色光ディスク装置は、光センサ素子をスライド機構の作動を制御するスイッチとすることにより、部材がディスクと接触して損傷するのを避けることができる。また、遅延なくスライド台を迅速に移動させることができるだけでなく、ディスクを所定の位置で確実に挟持し、読取作業をスムーズに行うことができる。
【図面の簡単な説明】
【００１４】
【図１】従来の光ディスク装置を示す分解斜視図である。
【図２】図１に示す光ディスク装置の使用状態を示す上面図である。
【図３】本考案の一実施形態による光センサによってディスクの挿入を検出する青紫色光ディスク装置を示す分解斜視図である。
【図４】図３に示す実施形態の一部を示す斜視図である。
【図５】図３に示す実施形態の作動状態を示す上面図である。
【図６】図３に示す実施形態の作動状態を示す側面図である。
【図７】図３に示す実施形態の作動状態を示す側面図である。
【図８】図３に示す実施形態の作動状態を示す側面図である。
【考案を実施するための形態】
【００１５】
本考案の目的、特徴及び効果を示す実施形態を図面に沿って詳細に説明する。
【００１６】
図３〜図８を参照する。図３〜図８に示すように、本考案の一実施形態による光センサによってディスクの挿入を検出する青紫色光ディスク装置１００は、搭載機構１０、制御回路基板２０、トラバース３０、スライド機構４０及び光センサ素子５０を有する。
【００１７】
図３及び図４を参照する。図３及び図４に示すように、搭載機構１０は、制御回路基板２０、トラバース３０、スライド機構４０及び光センサ素子５０を搭載する。搭載機構１０は、上部筐体１１と下部筐体１２とが組み合わされて構成される。搭載機構１０の前端には、ディスクを挿入する挿入口１３が設けられる。搭載機構１０の下部筐体１２の内部の両側部には、スライドレール１２１がそれぞれ設けられ、スライドレール１２１の末端には、下方に傾斜した傾斜レール１２２が接続される。搭載機構１０の内部空間には、読取領域及び取込領域が画定される。搭載機構１０の下部筐体１２の内部の両側部には、第１の当接凸部１２３がそれぞれ設けられる。第１の当接凸部１２３は、読取領域中に位置する。挿入口１３は、外部及び取込領域に連通する。
【００１８】
図３を参照する。制御回路基板２０は、搭載機構１０内に配置され、トラバース３０、スライド機構４０及び光センサ素子５０と電気的に接続される。制御回路基板２０は、トラバース３０、スライド機構４０及び光センサ素子５０の作動を制御するのに使用される。
【００１９】
図３及び図４を参照する。図３及び図４に示すように、トラバース３０は、トラバースシャーシ３１、ディスク読取装置３２及びスピンドルモータ３３を有する。トラバースシャーシ３１は、搭載機構１０内に配置される。ディスク読取装置３２は、トラバースシャーシ３１上に配置され、駆動されてトラバースシャーシ３１に沿って所定の経路を往復移動する。また、ディスク読取装置３２の往復移動領域は、搭載機構１０の読取領域中に位置する。スピンドルモータ３３は、トラバースシャーシ３１上に配置され、ディスクを回転させるのに使用される。
【００２０】
図３及び図６〜図８を参照する。図３及び図６〜図８に示すように、スライド機構４０は、スライド台４１、２つの挟持片４２及び駆動装置４３を有する。スライド台４１は、搭載機構１０の内部に配置される。スライド台４１の外部の両側部には、スライドブロック４１１がそれぞれ突設される。２つの挟持片４２は、枢接端４２１がスライド台４１上に枢動可能に接続され、他方の端部には、自由端４２２が形成される。自由端４２２は、挿入口１３の方向に向けて配置される。また、挟持片４２は、スライド台４１の穿孔４１２の外部に突出する第２の当接凸部４２３を有する。駆動装置４３は、駆動モータ４３１、歯車セット４３２、スライド台４１上に設けられるラック４３３及びベルトローラセット４３４を有する。駆動モータ４３１は、搭載機構１０上に配置され、動力を提供するのに使用され、ベルトローラセット４３４、歯車セット４３２及びラック４３３を介して動力をスライド台４１上に伝達し、スライド台４１のスライドブロック４１１をスライドレール１２１及び傾斜レール１２２に沿って移動させる。
【００２１】
図４を参照する。光センサ素子５０は、搭載機構１０の内部に配置され、取込領域中に位置する。非接触式の検出により、取込領域内へのディスクの挿入及び排出の情報を取得する。
【００２２】
以上の説明は、本実施形態の光センサによってディスクの挿入を検出する青紫色光ディスク装置１００の各部材及びその組立方式を示したものである。続いて、本考案の使用上の特徴を以下に示す。
【００２３】
図５を参照する。図５に示すように、ユーザが搭載機構１０の挿入口１３からディスク９９を挿入すると、ディスク９９は、挟持片４２によってスライド台４１上に挟持される。また、ディスク９９が取込領域に挿入されたとき、光センサ素子５０は、ディスク９９が挿入されたという情報を取得し、この情報を制御回路基板２０に伝送する。次に、制御回路基板２０が駆動モータ４３１を駆動し、ベルトローラセット４３４、歯車セット４３２及びラック４３３を介して動力をスライド台４１まで伝達する。これにより、スライド台４１のスライドブロック４１１は、スライドレール１２１に沿って移動し、ディスク９９を取込領域から読取領域中まで移動させる（図６及び図７を参照）。スライド台４１のスライドブロック４１１がスライドレール１２１末端の傾斜レール１２２まで滑入した後、スライド台４１は、下方に移動し、挟持片４２の第２の当接凸部４２３が搭載機構１０の第１の当接凸部１２３に接触する。これにより、挟持片４２は、当接凸部１２３に当接して押上力を受けて、枢接端４２１を中心として上方に回動してディスクは開放状態となり（図８を参照）、ディスク９９がスピンドルモータ３３上に配置されて回転し、ディスク読取装置３２が読取作業を行う。
【００２４】
本考案の光センサによってディスクの挿入を検出する青紫色光ディスク装置は、光センサ素子をスライド機構の作動を制御するスイッチとすることにより、部材がディスクと接触して損傷することを避けることができる。また、スライド台を遅延なく迅速に移動させることができるだけでなく、ディスクを所定の位置で確実に挟持し、読取作業をスムーズにすることができる。
【００２５】
以上の説明は、本考案の好適な実施形態を示すものであり、本考案の実施範囲を限定するものではない。また、本考案を逸脱しない範囲における当業者による変更は、すべて、本考案の実用新案登録請求の範囲に含まれる。
【符号の説明】
【００２６】
１  搭載機構
２  トラバース
３  スライド機構
４  スライド台
５  挟持片
６  駆動装置
７  制御回路基板
８  弾性スイッチ
９  ディスク
１００  光センサによってディスクの挿入を検出する青紫色光ディスク装置
１０  搭載機構
１１  上部筐体
１２  下部筐体
１２１  スライドレール
１２２  傾斜レール
１２３  第１の当接凸部
１３  挿入口
２０  制御回路基板
３０  トラバース
３１  トラバースシャーシ
３２  ディスク読取装置
３３  スピンドルモータ
４０  スライド機構
４１  スライド台
４１１  スライドブロック
４１２  穿孔
４２  挟持片
４２１  枢接端
４２２  自由端
４２３  第２の当接凸部
４３  駆動装置
４３１  駆動モータ
４３２  歯車セット
４３３  ラック
４３４  ベルトローラセット
５０  光センサ素子
９９  ディスク
【図１】
0003163109.tif 000003
【図２】
0003163109.tif 000004
【図３】
0003163109.tif 000005
【図４】
0003163109.tif 000006
【図５】
0003163109.tif 000007
【図６】
0003163109.tif 000008
【図７】
0003163109.tif 000009
【図８】
0003163109.tif 000010